(57)【要約】【課題】解剖実習室内及び解剖台端の解剖作業者の頭部近傍でのホルムアルデヒド濃度を規定値である０．１ｐｐｍ未満まで下げることができ、かつ作業性が良い解剖台換気システムを提供する。【解決手段】解剖台換気システム１では、ソックスダクト５の小孔から浸み出す微風速の空気により、解剖台２に向けて垂直落下方向に擬似層流Ｓを形成する。そして、このソックスダクト５からの擬似層流Ｓで解剖台２を包み、同時に解剖台２の検体載置台４において、検体を包み込みながらホルムアルデヒドを含んだ空気を、検体載置台４の周囲に設けられた排気孔４３に向けて排出する。排気孔４３に対しては、図示しない排ガス処理装置によって吸気されることで、排気部７を通って排気チャンバ６内の空気が引かれ、さらに、排気孔４３を通して解剖台２の検体載置台４周囲の空気が引かれ、上記のホルムアルデヒドを含んだ空気が、排気部７から排出される。【選択図】図１
2011167292.tif 000002
【特許請求の範囲】
【請求項１】
解剖台の検体載置台の上方長手方向に、小孔からの空気の浸み出しにより微風流を発するソックスダクトを設置し、
前記解剖台の前記検体載置台に、検体周囲の空気を吸引する排気口を設け、
前記ソックスダクトの小孔から前記解剖台に向けて垂直落下方向に対して擬似層流を形成し、この層流を前記排気口より排気することを特徴とする解剖台換気システム。
【請求項２】
前記解剖台の前記検体載置台周囲には、前記検体載置台の上方に向かってガス拡散防止板が設けられたことを特徴とする請求項１記載の解剖台換気システム。
【請求項３】
前記ソックスダクトは、その断面が半円形状で、円弧部分を前記解剖台側に向けて設置されたことを特徴とする請求項１又は２記載の解剖台換気システム。
【発明の詳細な説明】
【技術分野】
【０００１】
本発明は、解剖実習室における解剖台において、ホルマリンから発生するホルムアルデヒドガス等の有害なガスの換気を行なう解剖台換気システムに関する。
【背景技術】
【０００２】
解剖実習において、一般に、検体の腐敗を防止するため、ホルマリンを検体に注入したり検体をホルマリンに浸したりしている。検体を解剖する際、そのホルマリンからホルムアルデヒドが発生するため、解剖作業者に大変有害であることが問題になっていた。
【０００３】
そこで、従来、図９に示すように解剖実習室の全体換気を行ったり、解剖台の局所排気（図１０及び特許文献１〜３参照）を行ったりしている。
【先行技術文献】
【特許文献】
【０００４】
【特許文献１】特開２００７−２５２４５３号公報
【特許文献２】特開２００６−２８８７３０号公報
【特許文献３】特開２００６−１４１８４８号公報
【発明の概要】
【発明が解決しようとする課題】
【０００５】
しかし、解剖実習室を全体換気するだけでは、ホルムアルデヒドが解剖台上の検体から気化するため、解剖台端で作業する解剖作業者の頭部近傍でのホルムアルデヒド濃度を規定値である０．１ｐｐｍ未満まで下げられない。
【０００６】
また、図１０に示すようなプシュプル換気方式では、解剖作業者が作業する際、検体を覆っている水平層流を遮るため、検体から気化しているホルムアルデヒドが、解剖台の外へ拡散する。そのため、解剖作業者の頭部近傍でのホルムアルデヒド濃度を規定値（０．１ｐｐｍ未満）まで下げられない。
【０００７】
このように、解剖作業者の頭部近傍でのホルムアルデヒド濃度が規定値（０．１ｐｐｍ未満）まで下げられ、かつ作業性の良い解剖台換気システムが求められている。
【０００８】
本発明は、上記のような従来技術の課題を解決するもので、その目的は、解剖実習室内及び解剖台端の解剖作業者の頭部近傍でのホルムアルデヒド濃度を規定値である０．１ｐｐｍ未満まで下げることができ、かつ作業性が良い解剖台換気システムを提供することにある。
【課題を解決するための手段】
【０００９】
上記の目的を達成するために、請求項１の発明は、解剖台の検体載置台の上方長手方向に、多数の小孔からの空気の浸み出しにより微風流を発するソックスダクトを設置し、前記解剖台の前記検体載置台に、検体周囲の空気を吸引する排気口を設け、前記ソックスダクトの小孔から前記解剖台に向けて垂直落下方向に対して擬似層流を形成し、この層流を前記排気口より排気することを特徴とする。
【００１０】
以上の態様では、解剖台換気システムでは、ソックスダクトの小孔から浸み出す微風速の空気により、解剖台に向けて垂直落下方向に擬似層流を形成する。そして、このソックスダクトからの擬似層流で解剖台を包み、同時に解剖台の検体載置台において、検体を包み込みながら検体に染み込んだホルマリンから発生するホルムアルデヒドを含んだ空気を、検体載置台の周囲に設けられた排気口から排出する。
【００１１】
このように、解剖作業者が作業中に部分的に擬似層流を遮っても、解剖台の検体載置台周囲の排気孔からの排気があるため、検体から発生するホルムアルデヒドが解剖台の外に拡散することがない。これにより、解剖実習室内及び解剖台端の解剖作業者の頭部近傍でのホルムアルデヒド濃度を規定値である０．１ｐｐｍ未満まで下げることができ、かつ作業性が良い解剖台換気システムを提供することが可能となる。
【００１２】
請求項２の発明は、請求項１記載の発明において、前記解剖台の前記検体載置台周囲には、前記検体載置台の上方に向かってガス拡散防止板が設けられたことを特徴とする。
以上の態様では、検体からのホルムアルデヒドが解剖台の外に拡散することを効果的に防止することができるとともに、ガス拡散防止板は柔らかく簡単に変形可能に構成することで、解剖作業者の作業性を妨げることがない。
【００１３】
請求項３の発明は、請求項１又は２記載の発明において、前記ソックスダクトは、その断面が半円形状で、円弧部分を前記解剖台側に向けて設置されたことを特徴とする。
以上の態様では、設置する解剖室のハード的制約に対応することが可能となる。
【発明の効果】
【００１４】
本発明によれば、解剖実習室内及び解剖台端の解剖作業者の頭部近傍でのホルムアルデヒド濃度を規定値である０．１ｐｐｍ未満まで下げることができ、かつ作業性が良い解剖台換気システムを提供することができる。
【図面の簡単な説明】
【００１５】
【図１】本発明の実施形態における解剖台換気システムの構成を示す模式図。
【図２】本発明の実施形態における解剖台換気システムの気流シミュレーション図。
【図３】本発明の実施形態における解剖台換気システムのフォグによる実験結果を示す図。
【図４】本発明の実施形態における解剖台換気システムの実施例を示す模式図。
【図５】本発明の実施形態における解剖台換気システムの実施例を示す模式図。
【図６】本発明の実施形態におけるホルムアルデヒドの濃度検査測定結果を示す図。
【図７】本発明の他の実施形態における解剖台換気システム構成の一部を示す模式図。
【図８】本発明の他の実施形態における解剖台換気システム構成を示す模式図。
【図９】従来の解剖実習室の換気手法を示す模式図。
【図１０】従来の解剖台換気システムの構成を示す模式図。
【発明を実施するための形態】
【００１６】
本発明を実施するための形態について、本発明の解剖台換気システムを用いた例を説明する。
［１．本実施形態］
［１−１．構成及び作用効果］
図１は、本実施形態の解剖台換気システム１の全体構成を示す側面模式図（ａ）と、正面模式図（ｂ）と、解剖台の平面図（ｃ）である。この図に示すように、本実施形態の解剖台換気システム１は、解剖台２と、この解剖台２の検体載置台４の上方に、長手方向に向かって設置されたソックスダクト５とを備える。
【００１７】
解剖台２は、全体形状が、従来と同じく上部の開口した方形箱型の筐体３を備え、この筐体３内部に検体を載置する検体載置台４が設置されている。この筐体３は、例えば、四方に設けられた４本の脚ＬとキャスターＣとによって、移動可能に支持されている。
【００１８】
また、解剖台２における筐体３の底面には、後述する排気チャンバ６に繋がる排気部７が設けられ、この排気部７は、排気チャンバ６への空気の通過量を調整する排気量調整シャッター７ａを備える。この排気量調整シャッター７ａは、例えば、方形に開口した排気口７ｂに対して、それと同大の板状体７ｃをスライド移動させ、排気口７ｂの開口量を変化させることで、排気量の調整を行なうものである。
【００１９】
解剖台２において、検体載置台４と排気部７とは、２層構造となっており、図１に具体例を示すように、検体載置台４全体を盆状に形成し、検体載置部分４１と、この検体載置部分４１の四方に、解剖台２における筐体３の底面に隙間を設けるようにして、筐体３に対して検体載置部分４１を固定する載置台支持部４２とから構成する。また、図１（ｃ）に示すように、この載置台支持部４２には、筐体３底部の排気部７に通気するよう、排気孔４３が複数設けられている。
【００２０】
解剖台２の底部には、排気チャンバ６が取り付けられ、この排気チャンバ６は図示しない排ガス処理装置へ接続されている。すなわち、この排ガス処理装置により、吸気されることで、排気部７を通って排気チャンバ６内の空気が引かれ、さらに、排気孔４３を通して解剖台２の検体載置台４周囲の空気が引かれるように構成される。
【００２１】
一方、図１（ａ）及び（ｂ）に示すように、解剖台２の上方には、断面が円形で、解剖台の長手方向に向かってソックスダクト５が設けられている。このソックスダクト５は、円筒形状を形成する布や孔開きシートから形成されるダクトで、布の網目やシートの細孔から空気が浸み出して微風速を形成するものである。
【００２２】
このような解剖台換気システム１では、ソックスダクト５の小孔から浸み出す微風速の空気により、解剖台２に向けて垂直落下方向に擬似層流Ｓを形成する。そして、このソックスダクト５からの擬似層流Ｓで解剖台２を包み、同時に解剖台２の検体載置台４において、検体を包み込みながらホルムアルデヒドを含んだ空気を、検体載置台４の周囲に設けられた排気孔４３に向けて排出する。排気孔４３に対しては、図示しない排ガス処理装置によって吸気されることで、排気部７を通って排気チャンバ６内の空気が引かれ、さらに、排気孔４３を通して解剖台２の検体載置台４周囲の空気が引かれ、上記のホルムアルデヒドを含んだ空気が、排気部７から排出される。
【００２３】
以上のような本実施形態の解剖台換気システム１では、解剖作業者が作業中に部分的に擬似層流Ｓを遮っても、解剖台の検体載置台周囲の排気孔４３からの排気があるため、検体から発生するホルムアルデヒドが解剖台２の外に拡散することがない。
【００２４】
これにより、解剖実習室内及び解剖台端の解剖作業者の頭部近傍でのホルムアルデヒド濃度を規定値である０．１ｐｐｍ未満まで下げることができ、かつ作業性が良い解剖台換気システムを提供することが可能となる。
【００２５】
［１−２．実施例］
［１−２−１．気流シミュレーションとフォグによる実験結果］
上記のような構成及び作用効果を奏する本実施形態の解剖台換気システム１について、気流シミュレーションを行った結果を以下に示す。まず、本気流シミュレーションは、図２（ａ）に示すように、長手方向に１１３００ｍｍ、短手方向に２２００ｍｍ、高さ方向に３０００ｍｍの長方形状の箱型の室Ｒを想定する。この仮想の室Ｒの上部に、長手方向に渡って、ソックスダクト５を設けるとともに、そのソックスダクト５に沿って、室Ｒ内の長手方向に渡って、本実施形態の解剖台換気システム１を３台縦列に並べたとする。
【００２６】
このような領域モデルにおける気流シミュレーションの結果を図２（ｃ）〜（ｇ）として示す。なお、図２（ｃ）〜（ｇ）は、図２（ｂ）における断面（ｃ）〜（ｇ）を表したものであり、図中の矢印は、空気の流れを示すものである。
【００２７】
上記の気流シミュレーションによれば、図２（ｃ）〜（ｇ）に示すとおり、いずれの断面においても、ソックスダクト５からの擬似層流は渦を巻くことなく、また解剖台２から逆流することなく、解剖台２へ吸込まれ、解剖台２の排気口よりスムースに排気されていることが分かった。
【００２８】
また、本実施形態の解剖台２に対して、その周辺における気流を、フォグ（微細ミスト）で可視化した結果を図３に示す。この図３によれば、検体頭部直上における気流（図３（ａ））、解剖台２の外枠を構成する筐体３周辺の気流（図３（ｂ））、検体足下直上の気流（図３（ｃ））、解剖作業者の周辺の気流（図３（ｄ））のいずれの箇所においても、気流が解剖台２からその外へ逆流していないことを確認した。
【００２９】
［１−２−２．解剖台換気システムの実施例の概要と解剖実習室の実施例］
次に、本実施形態の解剖台換気システム１の実施例の概要と、解剖実習室ＰＲの平面図をそれぞれ図４及び図５に示す。空気調和機ＡＨＵ−１により外気ＯＡを温調して解剖実習室ＰＲヘソックスダクト５（図５の上から下に伸びた５本のソックスダクト５ａ〜５ｅ）から供給し、その分を床下取付吸込口Ｖ１（図５では図示せず）と吸気ガラリＶ２から排気用送風機ＥＦ−１により排気することで解剖実習室ＰＲ内を換気する。
【００３０】
同時に、給気用送風機ＳＦ−１により外気を解剖台２上方のソックスダクト５（図５の下から上に伸びた１０本のソックスダクト５ｆ〜５ｏ）から擬似層流として供給する。擬似層流として供給された空気は解剖台２の排気口からホルムアルデヒドと共に排気され、解剖台２から解剖実習室ＰＲ内へのホルムアルデヒドの拡散を防止する。ホルムアルデヒドを含んだ空気は、排ガス処理装置ＴＲＳ−Ｆ３００とＴＲＳ−Ｆ４００で処理された後、大気中に放出される。
【００３１】
この実施例において、実際にホルムアルデヒド濃度を測定した測定点と結果をそれぞれ図５と図６に示す。図６のＡ測定点の値は、床上１２００ｍｍ（作業者の頭部を想定）におけるホルムアルデヒドの値を示している。Ｂ測定点の値は、解剖台２端上４００ｍｍ（作業者の頭部を想定）におけるホルムアルデヒドの濃度を示している。Ａ、Ｂ何れの値も規定値の０．１ｐｐｍ未満であることが分かる。なお、ホルムアルデヒド濃度の測定は、２，４−ＤＮＰＨ含浸シリカゲルで捕集して高速液体クロマトグラフ（島津製作所製  ＬＣ−１０ＡＤ）で行った。
【００３２】
このように、本実施形態の解剖台換気システム１を用いた実施例により、解剖実習室ＰＲ内及び解剖台端の解剖作業者の頭部近傍でのホルムアルデヒド濃度を規定値（０．１ｐｐｍ未満）まで下げることができることを確認した。
【００３３】
［２．他の実施形態］
本発明は、上記の実施形態に限定されるものではなく、以下のような態様も包含するものである。例えば、図７に示すように、解剖台の検体載置台周囲に、検体載置台の上方に向かってガス拡散防止板が設けることが可能である。より具体的には、このガス拡散防止板は、解剖台の周囲に、例えば、ビニール製の高さ２０ｃｍのガス拡散防止板を設けることにより実現する。これにより、検体からのホルムアルデヒドが解剖台の外に拡散することを効果的に防止することができるとともに、ガス拡散防止板は柔らかく簡単に変形可能に構成することで、解剖作業者の作業性を妨げることがない。
【００３４】
また、上記実施形態において、ソックスダクト５として断面円形のものを用いたが、本発明はこのような態様に限らず、解剖台上方で擬似層流が形成できるものであれば、例えば、図８に示すように断面が半円状のものを用いることも可能である。このような態様では、設置する解剖室のハード的制約に対応して、その解剖室にあった解剖台換気システムを提供することが可能となる。
【符号の説明】
【００３５】
１…解剖台換気システム
２…解剖台
３…筐体
４…検体載置台
５，５ａ〜５ｏ…ソックスダクト
６…排気チャンバ
７…排気部
７ａ…排気量調整シャッター
７ｂ…排気口
７ｃ…板状体
４１…検体載置部分
４２…載置台支持部
４３…排気孔
ＡＨＵ−１…空気調和機
Ｃ…キャスター
ＥＦ−１…排気用送風機
ＯＡ…外気
ＰＲ…解剖実習室
Ｒ…室
Ｓ…擬似層流
ＳＦ−１…給気用送風機
Ｖ１…床下取付吸込口
Ｖ２…吸気ガラリ
【図１】
2011167292.tif 000003
【図４】
2011167292.tif 000004
【図５】
2011167292.tif 000005
【図６】
2011167292.tif 000006
【図７】
2011167292.tif 000007
【図８】
2011167292.tif 000008
【図９】
2011167292.tif 000009
【図１０】
2011167292.tif 000010
【図２】
2011167292.tif 000011
【図３】
2011167292.tif 000012